(57)【特許請求の範囲】
【請求項１】
オーディオレス車両のインパネにナビゲーション装置やオーディオ機器を装着するために形成されたインパネ開口に装着可能であり、前記インパネ開口を閉鎖しうる蓋部材をもつ本体部材と、
前記蓋部材の表面に設けられ、携帯情報端末を保持可能な取付け具と、
を備えており、
前記本体部材は、前記インパネ開口と対応する本体開口を有するとともに、当該本体開口から奥方に延びるボックス状をしており、
前記蓋部材は、その上縁において、前記本体部材に対し、前記本体開口の上縁を支点として開閉回動可能に連結されており、
前記取付け具は、横方向に延びるレール部材に対して位置調整可能であり、前記携帯情報端末を左右から挟むようにして保持することができる一対の第１保持具と、縦方向に延びるレール部材に対して位置調節可能であり、前記携帯情報端末を上下から挟むようにして保持することができる一対の第２保持具と、を備えているとともに、前記蓋部材と直交する軸を中心として回転位置調整可能な支持部材を介して前記蓋部材に取付けられていることを特徴とする、車両における携帯情報端末の設置装置。
【請求項２】
前記蓋部材には、前記携帯情報端末を充電するための端子が設けられている、請求項１に記載の携帯情報端末の設置装置。
【発明の詳細な説明】
【技術分野】
【０００１】
本発明は、車両における携帯情報端末の設置装置に関する。
【背景技術】
【０００２】
オーディオ機能やテレビジョン受信機能を併せ備えたナビゲーション装置が知られている。このようなナビゲーション装置は通常、車両の販売時にはインパネに装着されているが、車両メーカや販売店が提供するナビゲーション装置を不要とするユーザに対処するため、オーディオレス車と称して、販売時にナビゲーション装置やオーディオ装置を装着せず、それらを装着するための開口を設けただけの車両が販売されることがある。
【０００３】
一方、スマートフォンに代表される携帯情報機器には、ＧＰＳを利用したナビゲーション機能を備えているか、または、アプリケーションソフトウェアをインストールすることによりナビゲーション機能を発揮することができるものも多い。
【０００４】
特許文献１には、たとえば、グローブボックスの開閉蓋の表面やセンタークラスタの物入れ等にスマートフォンを配置する構造が提案されている。同文献に提案された構造によって車両の内部にスマートフォンを適切に配置することができれば、車両にナビゲーション装置が装備されていなくても、ナビゲーション機能を利用することができる。
【０００５】
しかしながら、特許文献１の提案は、車両の内部にスマートフォンの保持場所を提供することを主眼とするものであり、上記したオーディオレス車のインパネの構成と関連して、ナビゲーション機能を利用することができたとしても、インパネには開口が露出したままであり、車室内の見栄えが悪いという問題がある。
【０００６】
【特許文献１】特開２０１２−２１４０８７号公報
【発明の概要】
【発明が解決しようとする課題】
【０００７】
本発明は、上記した事情のもとで考え出されたものであって、オーディオレス車に見映えよく携帯情報機器を設置可能とする車両における携帯情報端末の設置装置を提供することをその課題とする。
【課題を解決するための手段】
【０００８】
上記課題を解決するため、本発明に係る車両における携帯情報端末の設置装置では、車両のインパネに形成された開口に装着可能であり、前記開口を閉鎖しうる蓋部材をもつ本体部材と、前記蓋部材の表面に設けられ、携帯情報端末を保持可能な取付け具と、を備えることを特徴とする。
【０００９】
好ましい実施の形態では、前記蓋部材には、前記携帯情報端末を充電するための端子が設けられている。
【発明の効果】
【００１０】
このような構成の携帯情報端末の設置装置は、オーディオレス車両のインパネに形成された開口を蓋部材が閉鎖することができるので、当該車両の室内の見映えを悪化させることなく、携帯情報端末を設置することができる。
【００１１】
また、オーディオレス車両のインパネに形成される開口は、本来オーディオ機能付きのナビゲーション装置を装着するための開口であるので、この開口を閉鎖する蓋部材に取付け具を介して保持される携帯情報端末は、運転席の乗員にとって見やすい位置に設置されることになり、安全面でも好ましいものとなる。
【００１２】
本発明のその他の特徴および利点は、図面を参照して以下に行う詳細な説明から、より明らかとなろう。
【図面の簡単な説明】
【００１３】
【図１】オーディオレス車のインパネの説明図である。
【図２】本発明の第１実施形態に係る携帯情報端末の設置装置を示す正面図である。
【図３】図２のIII-III線に沿う断面図である。
【図４】図２のIV-IV線に沿う断面図である。
【図５】本発明の第２実施形態に係る携帯情報端末の設置装置を示す正面図である。
【図６】図５のVI-VI線に沿う断面図である。
【図７】図５のVII-VII線に沿う断面図である。
【発明を実施するための形態】
【００１４】
以下、本発明の好ましい実施の形態につき、図面を参照して具体的に説明する。
【００１５】
図１は、オーディオレス車のインパネＡの一例を示す。インパネＡの中央には、矩形の開口Ｂが設けられている。この開口Ｂは、車両メーカ、あるいは販売店が選択したナビゲーション装置やオーディオ機器を適正に装着できるように設定された開口Ｂであるが、オーディオレス車として車両を販売する場合には、この開口Ｂには上記したナビゲーション装置やオーディオ機器は装着されず、この開口Ｂの利用は、ユーザに委ねられる。本発明に係る携帯情報端末の設置装置は、かかる開口Ｂの利用の選択肢の一つとして、車両販売店等において提供することができる。
【００１６】
図２〜図４は、本発明の第１実施形態に係る携帯情報端末の設置装置を示す。
【００１７】
この携帯情報端末の設置装置１０Ａは、本体部材２０と、蓋部材３０と、取付け具４０とを基本的に有する。
【００１８】
本体部材２０は、手前側に上記インパネＡの開口Ｂと対応する開口２１を有し、奥方に延びるボックス状をしている。この本体部材２０は、底壁２２と、上壁２３と、左右の側壁２４，２５と、奥壁（図示略）とを有する断面矩形のボックス状をしており、たとえば、樹脂成形により得られる。この本体部材２０は、開口付近の外周に外向フランジ２６が形成されている（図３、図４）。この本体部材２０は、外向フランジ２６がインパネＡの表面に当接するまで上記開口Ｂに挿入した状態で、適当な手段によってインパネＡに固定される。
【００１９】
蓋部材３０は、インパネＡの開口Ｂおよび本体部材２０の開口２１と対応し、これらの開口Ａ，２１を閉鎖しうる正面視矩形をしており、本体部材２０に対し、その開口２１の上縁２１ａに沿って設けたヒンジ３１により、開閉回動可能に付属させられている（図３）。この蓋部材３０は、たとえば樹脂成形により得られる。
【００２０】
取付け具４０は、蓋部材３０の表面において、携帯情報端末Ｓを保持可能とするものであり、矩形をしたスマートフォンのような携帯情報端末Ｓを適正に保持できる。本実施形態では、この取付け具４０は、大きさの異なる携帯情報端末Ｓを保持できるように構成されている。具体的には、この取付け具４０は、横方向に延びるレール部材４１に対して位置調整可能であり、携帯情報端末Ｓを左右から挟むようにして保持することができる一対の第１保持具４２と（図２、図４）、縦方向に延びるレール部材４３に対して位置調節可能であり、携帯情報端末Ｓを上下から挟むようにして保持することができる一対の第２保持具４４と（図２、図３）を備えて構成されている。
【００２１】
本実施形態では、携帯情報端末Ｓを充電するための端子３２が上記蓋部材３０に設けられている。この端子３２には、図示しない給電ケーブルがインパネ内部を通って接続されている。この端子３２に適当なケーブル３３を介して上記のように取付け具４０に保持された携帯情報端末Ｓに接続することにより、当該携帯情報端末Ｓの充電をすることができる。
【００２２】
次に、上記構成の携帯情報端末の設置装置１０Ａの作用について、説明する。
【００２３】
上記構成の携帯情報端末の設置装置１０Ａは、オーディオレス車両のインパネＡに形成された開口Ｂを蓋部材３０が閉鎖することができるので、当該車両の室内の見映えを悪化させることなく、携帯情報端末Ｓを設置することができる。
【００２４】
また、オーディオレス車両のインパネＡに形成される開口Ｂは、本来オーディオ機能付きのナビゲーション装置を装着するための開口であるので、この開口Ｂを閉鎖する蓋部材３０に取付け具４０を介して保持される携帯情報端末Ｓは、運転席の乗員にとって見やすい位置に設置されることになり、ナビゲーション機能を利用するにあたって、安全面でも好ましいものとなる。
【００２５】
さらに、上記構成の携帯情報端末の設置装置１０Ａは、蓋部材３０が本体部材２０に対して開閉可能であり、また、本体部材２０は、奥壁（図示略）を有するボックス状をしているので、本体部材２０の内部をグローブボックスに加えた収納空間として利用することができる。
【００２６】
加えて、上記構成の携帯情報端末の設置装置１０Ａは、種々の大きさの携帯情報端末Ｓを設置することができるので、利便性が高い。
【００２７】
さらに、上記構成の携帯情報端末の設置装置１０Ａは、蓋部材３０に携帯情報端末Ｓを充電するための端子３２を備えているので、たとえは、シガーライターを電源としてケーブルを延ばす必要がなく、室内の見映えがよい。なお、端子３２およびケーブル３３を、携帯情報端末Ｓのデジタルオーディオプレーヤー機能やラジオ機能の出力を伝送できるものとしておくことにより、車両に装備されるスピーカから音声を出力させるようにすることもできる。この場合、給電ケーブルに代えて、所定の伝送ケーブル（図示略）が、端子３２からインパネ内部を通って必要機器に接続される。
【００２８】
図５〜図７は、本発明の第２実施形態に係る携帯情報端末の設置装置１０Ｂを示す。これらの図において、図２〜図４に示した第１実施形態に係る携帯情報端末の設置装置１０Ａと同一または同等の部材または部分には、同一の参照符号を付して適宜説明を省略する。
【００２９】
本実施形態に係る携帯情報端末の設置装置１０Ｂは、蓋部材３０に保持させた携帯情報端末Ｓの向きを変更できるように構成されている。
【００３０】
すなわち、蓋部材３０の表面に、当該蓋部材３０に対して軸３４を中心として回転位置調整可能な支持部材３５を設け、この支持部材３５に対して、一対の第１保持部材４２および一対の保持部材４４を介して携帯情報端末Ｓを保持できるようにしている。
【００３１】
このように構成することにより、図５に実線で示すように、携帯情報端末Ｓをそのディスプレイが横長となる状態と、図５に仮想線で示すように、携帯情報端末Ｓのそのディスプレイが縦長となる状態とを選択できる。
【００３２】
その他、第２実施形態に係る携帯情報端末の設置装置１０Ｂにおいても、第１実施形態に係る携帯情報端末の設置装置１０Ａについて上述したのと同様の作用を奏することができる。
【００３３】
もちろん、この発明の範囲は上記した実施形態に限定されることはなく、各請求項に記載した事項の範囲内でのあらゆる変更は、すべて本発明の範囲に含まれる。
【００３４】
実施形態では、蓋部材３０は本体部材２０に対してその開口２１の上縁２１ａに設けたヒンジ３１を中心として開閉可能としているが、蓋部材３０を横開き状態となるように開閉回動できるようにしてもよい。また、ヒンジ３１を上記開口２１の下縁２１ｂに設けてもよい。
【００３５】
また、実施形態では、本体部材２０をボックス状とし、蓋部材３０を開閉可能としているが、本体部材２０を単にインパネＡの開口Ｂに蓋部材３０を取り付けるためのブラケットの役目を果たすものとしてもよい。またこの場合において、蓋部材３０を、本体部材２０に対して開閉不能に固定するようにしてもよい。
【００３６】
さらに、実施形態では、種々の大きさの携帯情報端末Ｓを保持できるように取付け具４０を構成しているが、この取付け具４０の構成は、実施形態のものに限定されない。
【符号の説明】
【００３７】
１０Ａ  携帯情報端末の設置装置
１０Ｂ  携帯情報端末の設置装置
Ａ      インパネ
Ｂ      開口
Ｓ      携帯情報端末
２０    本体部材
２１    開口
２１ａ  上縁
２１ｂ  下縁
２２    底壁
２３    上壁
２４    側壁
２５    側壁
３０    蓋部材
３１    ヒンジ
３２    端子
３３    ケーブル
３４    軸
３５    支持部材
４０    取付け具
４１    レール部材
４２    第１保持具
４３    レール部材
４４    第２保持具
【図１】
0006759499.tif 000002
【図２】
0006759499.tif 000003
【図３】
0006759499.tif 000004
【図４】
0006759499.tif 000005
【図５】
0006759499.tif 000006
【図６】
0006759499.tif 000007
【図７】
0006759499.tif 000008